(57)【要約】【課題】遠隔の地にある年配者に配慮した使い易いコミュニケーションツールを提供する。【解決手段】携帯端末２（父母側端末）は、孫を撮影した孫画像を画像配信サーバ３にアップロードする。画像配信サーバ３は、携帯端末２によってアップロードされた孫画像を記憶すると共に、孫画像をアップロードした携帯端末２に対応付けられた特定のセットトップボックス４（配信先）に孫画像を配信する。セットトップボックス４は、孫から離れて居住する祖父母側、例えば祖父母の自宅などに設置される閲覧・表示専用の端末装置である。このセットトップボックス４は、画像配信サーバ３から孫画像を自動でダウンロードし、外部接続された表示装置５（液晶テレビなど）に表示させる。【選択図】図１
2019120991.tif 000002
【特許請求の範囲】
【請求項１】
孫を撮影した孫画像を閲覧するために、孫から離れて居住する祖父母側に設置されるセットトップボックスにおいて、
前記セットトップボックスに固有の識別情報を記憶する識別情報記憶部と、
孫の父母が操作する父母側端末に固有の識別情報と、前記父母側端末によってアップロードされた前記孫画像のダウンロードを許可する前記セットトップボックスの識別情報とを対応付けて管理することによって、前記孫画像のダウンロード先の認証を行うサーバから、前記認証が得られたことを条件に、前記孫画像をネットワークを介して自動でダウンロードする通信部と、
表示装置に接続される接続ターミナルと、
前記通信部によってダウンロードされた前記孫画像を前記接続ターミナルに接続された前記表示装置に出力する出力部と
を有することを特徴とする画像閲覧用セットトップボックス。
【請求項２】
前記通信部は、前記孫画像として、前記表示装置への表示用に変換された画像ファイルを前記サーバからダウンロードすることを特徴とする請求項１に記載された画像閲覧用セットトップボックス。
【請求項３】
前記通信部は、前記サーバに対して、前記孫画像の新着の有無を定期的に問い合わせると共に、前記新着が存在する場合、前記サーバによって指定されたネットワークアドレスにアクセスすることによって、当該新着に係る孫画像をダウンロードすることを特徴とする請求項１または２に記載された画像閲覧用セットトップボックス。
【請求項４】
前記通信部は、前記サーバから前記孫画像の新着の通知を受けた場合、前記サーバによって指定されたネットワークアドレスにアクセスすることによって、当該新着に係る孫画像をダウンロードすることを特徴とする請求項１または２に記載された画像閲覧用セットトップボックス。
【請求項５】
事後的な再生を再配信を行うことなく可能にするために、前記通信部によってダウンロードされた前記孫画像を保存する画像記憶部をさらに有することを特徴とする請求項１または２に記載された画像閲覧用セットトップボックス。
【請求項６】
孫の父母が操作する父母側端末によってアップロードされた孫を撮影した孫画像を、孫から離れて居住する祖父母側に設置される画像閲覧用のセットトップボックスに配信する画像配信サーバにおいて、
前記父母側端末によってアップロードされた前記孫画像を記憶する画像記憶部と、
前記セットトップボックスに固有の識別情報が前記父母側端末に固有の識別情報に対応付けられた配信先として登録されているか否かを認証する認証部と、
前記認証部によって認証が得られたことを条件に、前記画像記憶部から読み出された前記孫画像を、ネットワークを介して、前記配信先となる前記セットトップボックスに配信する画像配信部と
を有することを特徴とする画像配信サーバ。
【請求項７】
前記父母側端末によってアップロードされた前記孫画像を、前記セットトップボックスに接続された表示装置に適した画像ファイルに変換する画像変換部をさらに有することを特徴とする請求項６に記載された画像配信サーバ。
【請求項８】
前記画像配信部は、前記セットトップボックスから前記孫画像の新着の有無の問い合わせを定期的に受けると共に、前記新着が存在する場合、当該新着に係る孫画像を取得するためのネットワークアドレスを前記セットトップボックスに通知することを特徴とする請求項６または７に記載された画像配信サーバ。
【請求項９】
前記画像配信部は、前記父母側端末によって前記孫画像がアップロードされた場合、前記配信先となる前記セットトップボックスに対して、前記孫画像を取得するためのネットワークアドレス付きで前記孫画像の新着を通知することを特徴とする請求項６または７に記載された画像配信サーバ。
【請求項１０】
前記認証部は、前記父母側端末からの前記孫画像毎の指定に応じて、前記配信先として、父方の祖父母側に設置される第１のセットトップボックスの識別情報と、母方の祖父母側に設置される第２のセットトップボックスの識別情報とを選択的に登録可能であることを特徴とする請求項６または７に記載された画像配信サーバ。
【発明の詳細な説明】
【技術分野】
【０００１】
本発明は、孫を撮影した孫画像を閲覧するために、孫から離れて居住する祖父母側に設置されるセットトップボックス、および、このセットトップボックスに孫画像を配信する画像配信サーバに関する。
【背景技術】
【０００２】
例えば、特許文献１には、管理サーバと、表示装置に画像を出力する画像出力装置と、通信端末とを有する画像管理システムが開示されている。管理サーバは、通信端末からの要求に応じて、画像出力装置の識別子を生成し、この識別子を通信端末に送信する。この管理サーバは、通信端末から送信された識別子を用いて通信端末を認証した上で、認証された通信端末から画像データを受信すると共に、受信された画像データを画像出力装置に送信する。画像出力装置は、送信された画像データを受信すると共に、受信された画像データを表示装置に出力する。
【先行技術文献】
【特許文献】
【０００３】
【特許文献１】再公表ＷＯ２０１５／１９０５６７号公報
【発明の概要】
【発明が解決しようとする課題】
【０００４】
ところで、大都市圏への人口集中と核家族化が著しく進んだ今日、祖父母が孫から離れた地方に居住するケースが多く見受けられる。インターネットは、遠隔の地にある祖父母とのコミュニケーションを図るためのツールとして有効ではあるものの、初期設定や操作が煩雑であるため、年配者にとっては未だ使い難いというのが現状である。上述した特許文献１は、このようなコミュニケーションへの配慮に関する記載や示唆は存在しない。
【０００５】
そこで、本発明の目的は、遠隔の地にある年配者に配慮した使い易いコミュニケーションツールを提供することである。
【課題を解決するための手段】
【０００６】
かかる課題を解決すべく、第１の発明は、孫を撮影した孫画像を閲覧するために、孫から離れて居住する祖父母側に設置される画像閲覧用セットトップボックスを提供する。このセットトップボックスは、識別情報記憶部と、通信部と、接続ターミナルと、出力部とを有する。識別情報記憶部は、セットトップボックスに固有の識別情報を記憶する。通信部は、サーバから孫画像をネットワークを介して自動でダウンロードする。サーバは、孫の父母が操作する父母側端末に固有の識別情報と、父母側端末によってアップロードされた孫画像のダウンロードを許可するセットトップボックスの識別情報とを対応付けて管理することによって、孫画像のダウンロード先の認証を行う。孫画像のダウンロードは、サーバによる当該認証が得られたことを条件に行われる。接続ターミナルは、表示装置に接続される。出力部は、通信部によってダウンロードされた孫画像を接続ターミナルに接続された表示装置に出力する。
【０００７】
ここで、第１の発明において、上記通信部は、孫画像として、表示装置への表示用に変換された画像ファイルをサーバからダウンロードしてもよい。
【０００８】
第１の発明において、上記通信部は、サーバに対して、孫画像の新着の有無を定期的に問い合わせると共に、新着が存在する場合、サーバによって指定されたネットワークアドレスにアクセスすることによって、この新着に係る孫画像をダウンロードしてもよい。また、これに代えて、上記通信部は、サーバから孫画像の新着の通知を受けた場合、サーバによって指定されたネットワークアドレスにアクセスすることによって、この新着に係る孫画像をダウンロードしてもよい。
【０００９】
第１の発明において、事後的な再生を再配信を行うことなく可能にするために、通信部によってダウンロードされた孫画像を保存する画像記憶部をさらに設けてもよい。
【００１０】
第２の発明は、孫の父母が操作する父母側端末によってアップロードされた孫を撮影した孫画像を、孫から離れて居住する祖父母側に設置される画像閲覧用セットトップボックスに配信する画像配信サーバを提供する。このサーバは、画像記憶部と、認証部と、画像配信部とを有する。画像記憶部は、父母側端末によってアップロードされた孫画像を記憶する。認証部は、セットトップボックスに固有の識別情報が父母側端末に固有の識別情報に対応付けられた配信先として登録されているか否かを認証する。画像配信部は、認証部によって認証が得られたことを条件に、画像記憶部から読み出された孫画像を、ネットワークを介して、配信先となるセットトップボックスに配信する。
【００１１】
ここで、第２の発明において、父母側端末によってアップロードされた孫画像を、セットトップボックスに接続された表示装置に適した画像ファイルに変換する画像変換部をさらに設けてもよい。
【００１２】
第２の発明において、上記画像配信部は、セットトップボックスから孫画像の新着の有無の問い合わせを定期的に受けると共に、新着が存在する場合、この新着に係る孫画像を取得するためのネットワークアドレスをセットトップボックスに通知してもよい。また、これに代えて、上記画像配信部は、父母側端末によって孫画像がアップロードされた場合、上記配信先となるセットトップボックスに対して、孫画像を取得するためのネットワークアドレス付きで孫画像の新着を通知してもよい。
【００１３】
第２の発明において、上記認証部は、父母側端末からの孫画像毎の指定に応じて、上記配信先として、父方の祖父母側に設置される第１のセットトップボックスの識別情報と、母方の祖父母側に設置される第２のセットトップボックスの識別情報とを選択的に登録可能であることが好ましい。
【発明の効果】
【００１４】
本発明によれば、孫から離れて居住する祖父母の自宅等に専用のセットトップボックスを設置し、これを表示装置およびネットワークに接続するだけで、サーバから孫画像を自動的にダウンロードして表示することができる。これにより、遠隔の地にある祖父母（年配者）に配慮した使い易いコミュニケーションツールを実現できる。
【図面の簡単な説明】
【００１５】
【図１】画像共有ネットワークシステムの全体構成図
【図２】画像配信サーバの構成図
【図３】画像管理テーブルの説明図
【図４】第１の実施形態に係る配信先管理テーブルの論理的な構成を示す概念図
【図５】セットトップボックスの構成図
【図６】第２の実施形態に係る配信先管理テーブルの説明図
【発明を実施するための形態】
【００１６】
（第１の実施形態）
図１は、本実施形態に係る画像共有ネットワークシステムの全体構成図である。このネットワークシステム１は、携帯端末２と、画像配信サーバ３と、セットトップボックス４（ＳＴＢ）とを主体に構成されている。携帯端末２は、孫の親である父母が操作する通信端末である。父母は、携帯端末２が備えるカメラで孫を撮影した静止画または動画（以下「孫画像」という。）、または、既知の記憶場所に格納されている孫画像を指定して、画像配信サーバ３にアップロードする。携帯端末２としては、典型的にはスマートフォンなどの移動体通信端末または移動式のパーソナルコンピュータが想定され、孫画像をアップロードするためのアプリケーションがインストールされている。また、携帯端末２の操作に基づいてＷｅｂサイトからアップロードできるようにしてもよい。画像配信サーバ３は、携帯端末２によってアップロードされた孫画像を記憶すると共に、孫画像をアップロードした携帯端末２に対応付けられた特定のセットトップボックス４（配信先）に孫画像を配信する。セットトップボックス４は、孫から離れて居住する祖父母側、例えば祖父母の自宅などに設置される閲覧・表示専用の端末装置である。このセットトップボックス４は、画像配信サーバ３から孫画像をダウンロードし、外部接続された表示装置５（液晶テレビなど）に表示させる。祖父母が孫画像を閲覧した場合、セットトップボックス４は携帯端末２に孫画像を閲覧した旨の通知を送付する。これにより、孫と同居している父母と、遠隔の地にある祖父母との間で、孫画像を共有することができ、父母側は祖父母の閲覧状況を知ることができる。
【００１７】
図２は、画像配信サーバ３の構成図である。このサーバ３は、画像受信部３ａと、画像変換部３ｂと、画像管理部３ｃと、画像記憶部３ｄと、アカウント情報記憶部３ｅと、認証部３ｆと、画像配信部３ｇとを有する。
【００１８】
祖父母との間で孫画像を共有するのに先立ち、父母は、携帯端末２を操作して必要なアカウント情報を画像配信サーバ３に登録する。このアカウント情報には、ユーザ名などの認証に関する情報の他、セットトップボックス４とのペアリングに関する情報も含まれる。このペアリングによって、孫画像をアップロードする父母側の携帯端末２に固有の識別情報と、孫画像をダウンロードする祖父母側のセットトップボックス４に固有の識別情報とが対応付けられる。その結果、特定の携帯端末２によってアップロードされた孫画像の配信先は、特定のセットトップボックス４のみに限定されることになる。なお、後述する第２の実施形態で述べるように、孫画像の配信先（ダウンロード先）として複数のセットトップボックス４を登録できるようにしてもよい。
【００１９】
孫画像のアップロード処理は、画像受信部３ａと、画像変換部３ｂと、画像管理部３ｃとが連係することによって行われる。具体的には、まず、画像受信部３ａは、携帯端末２からのアップロード依頼に基づき、アップロードの対象となる孫画像（静止画ファイルまたは動画ファイル）を受信する。画像変換部３ｂは、画像受信部３ａによって受信された本体ファイルを変換して表示装置５に適した画像ファイルを生成する。一般に、スマートフォンによって撮影された写真や動画のサイズはテレビのサイズよりも大きいので、本体ファイルを変換する必要がある。例えば、3840×2160ピクセルのサイズを有する本体ファイルを変換して、1920×1080ピクセルの表示用ファイルを生成すると共に、200×200ピクセルのサムネイルを生成するなど、表示用途に応じて一つの本体ファイルから複数のサイズのファイルを生成してもよい。
【００２０】
なお、本実施形態では、孫画像のアップロード処理の一環として、本体ファイルの変換を行っているが、別の形態として、アップロード時には本体ファイルの変換を行わず、セットトップボックス４からのダウンロード要求時に、その時点で変換済ファイルが存在しない場合に変換を行い、既に事前のダウンロード要求時に変換済ファイルが生成済みであった場合はそれをダウンロードしてもよい。
【００２１】
画像管理部３ｃは、本体ファイルと、画像変換部３ｂによって変換された変換済ファイルとを画像記憶部３ｄに記憶する。図３に示すように、これらのファイルは、画像記憶部３ｄにおいて階層化されて記憶される。具体的には、「Ｔｏｐ」に例示される高位のディレクトリの直下には、「Ｕｓｅｒ１」や「Ｕｓｅｒ２」といった如くユーザ毎のディレクトリが設けられており、それぞれのディレクトリには、更に「ｏｒｉｇｉｎａｌ」や「ｃｏｎｔｅｎｔ」といった２つのサブディレクトリが設けられている。そして、「ｏｒｉｇｉｎａｌ」には本体ファイルが、「ｃｏｎｔｅｎｔ」には変換済ファイルがそれぞれ随時格納される。なお、この階層構造はあくまでも一例であって、オリジナルとサムネイルがディレクトリ分けされていないケースや、ユーザディレクトリの更に上にグループのような単位で分けられているケースを含めて、様々なバリエーションが考えられ、どのような構成を採用してもよい。
【００２２】
また、画像管理部３ｃは、図３に示した画像管理テーブルを用いて画像記憶部３ｄの記憶内容を管理する。具体的には、画像管理部３ｃは、孫画像のアップロード依頼を受けた場合、孫画像を管理するためのＩＤ（識別番号）を採番し、画像管理テーブルに新たなレコードを追加する。このレコードは、上記ＩＤによってラベル化されており、孫画像の撮影日、サーバ登録日、本体ファイルの格納場所、および、変換済ファイルの格納場所などが記述される。変換済ファイルの格納場所（ネットワークアドレス）は、孫画像の配信先となるセットトップボックス４に適宜通知される。
【００２３】
さらに、画像管理部３ｃは、配信先管理テーブルを用いて孫画像の配信先を管理する。図４は、本実施形態に係る配信先管理テーブルの論理的な構成を示す概念図である。このテーブルは、上述した画像管理テーブルと同様、アップロード依頼を受けた孫画像単位で採番されたＩＤによってラベル化されており、「父母側端末」と、「ＳＴＢ」と、「配信の有無」とが記述される。例えば、「ｉｄ０００１」の孫画像については、「父母側端末」として、この孫画像をアップロードした携帯端末２の識別情報「Ａ」が記述され、「ＳＴＢ」として、この携帯端末２に対応付けられたセットトップボックス４の識別情報「ａ」が記述される。「父母側端末」としては、携帯端末２固有の識別情報の代わりに、これを操作するユーザのアカウントを用いてもよい。そして、「配信の有無」は、初期的には「×」（未配信）に設定され、識別情報「ａ」のセットトップボックス４に配信された場合に「○」（配信済）に変更される。なお、同図に示した構成はあくまで概念的なものであって、実際の物理的な構成としては様々な構成が考えられ、どのような物理的構成を採用してもよい。
【００２４】
孫画像のダウンロード処理は、認証部３ｆと、画像管理部３ｃと、画像配信部３ｇが連係することによって行われる。具体的には、まず、認証部３ｆは、ダウンロードを要求したセットトップボックス４に固有の識別情報が携帯端末２に固有の識別情報に対応付けられた配信先として登録されているか否かを認証する。例えば、図４に示した「ｉｄ０００４」の孫画像について、識別情報「ｃ」のセットトップボックス４からダウンロード要求を受けた場合には、認証＝「ＯＫ」と判断され、それ以外のセットトップボックス４からダウンロード要求を受けた場合には、認証＝「ＮＧ」と判断される。そして、識別情報「ｃ」のセットトップボックス４への配信（ダウンロード）が完了した場合、このレコードに関する「配信の有無」が「×」（未配信）から「○」（配信）に変更される。
【００２５】
画像配信部３ｇは、認証部３ｆによって認証が得られたことを条件に、画像記憶部３ｄに記憶された孫画像（ダウンロード要求に係る変換済ファイル）を画像管理部３ｃを介して取得し、ネットワークを介して配信先となるセットトップボックス４に配信する。孫画像の配信形態としては、フェッチ方式またはプッシュ方式のいずれかを採用することができる。ここで、フェッチ方式とは、画像配信部３ｇは、セットトップボックス４から孫画像の新着の有無の問い合わせを定期的に受けると共に、新着が存在する場合、この新着に係る孫画像を取得するためのネットワークアドレス（ＵＲＬ）をセットトップボックス４に通知する方法を指す。一方、プッシュ方式とは、画像配信部３ｇは、携帯端末２に孫画像がアップロードされた場合、配信先となるセットトップボックス４に対して、孫画像を取得するためのネットワークアドレス（ＵＲＬ）付きで孫画像の新着を通知する方法を指す。
【００２６】
図５は、セットトップボックス４の構成図である。このセットトップボックス４は、識別情報記憶部４ａと、通信部４ｂと、画像記憶部４ｃと、出力部４ｄと、接続ターミナル４ｅとを有する。識別情報記憶部４ａには、セットトップボックス４に固有の識別情報が記憶されている。この識別情報は、画像配信サーバ３との通信毎に、認証情報の一部あるいは全部として用いられる。通信部４ｂは、画像配信サーバ３側における上記認証が得られたことを条件に与えられる孫画像（ダウンロード要求に係る変換済ファイル）のネットワークアドレスを用いて孫画像をダウンロードする。
【００２７】
上述したように、孫画像の通知形態としてはフェッチ方式とプッシュ方式とが存在する。フェッチ方式の場合、通信部４ｂは、画像配信サーバ３に対して、孫画像の新着の有無を定期的に問い合わせると共に、新着が存在する場合、画像配信サーバ３によって指定されたネットワークアドレスにアクセスすることによって、新着に係る孫画像をダウンロードする。一方、プッシュ方式の場合、通信部４ｂは、画像配信サーバ３から孫画像の新着の通知を受けた場合、画像配信サーバ３によって指定されたネットワークアドレスにアクセスすることによって、新着に係る孫画像をダウンロードする。
【００２８】
通信部４ｂによってダウンロードされた孫画像は、画像記憶部４ｃに記憶される。これにより、画像配信サーバ３に記憶されたデータ（孫画像）と、画像記憶部４ｃの記憶内容とが同期し、画像記憶部４ｃからの読み出しのみによって、再配信（再ダウンロード）を行うことなく事後的な再生が可能になる。また、ハードウェアの制約から記憶領域が十分確保できない場合は、セットトップボックス４が画像記憶部４ｃを持たなくてもよい。セットトップボックス４に画像記憶部４ｃがない場合、あるいは、何らかの理由で孫画像をセットトップボックス４内に保存してない場合は、セットトップボックス４は再生の必要の都度画像配信サーバ３から孫画像をダウンロードしてもよい。
【００２９】
接続ターミナル４ｅは、外部の表示装置５に有線または無線で接続されている。出力部４ｄは、画像記憶部４ｃに記憶された孫画像（ダウンロード画像）を接続ターミナル４ｅに接続された表示装置５に出力する。
【００３０】
このように、本実施形態によれば、孫から離れて居住する祖父母の自宅等に専用のセットトップボックス４を設置し、これを表示装置６およびネットワークに接続するだけで、画像配信サーバ３から孫画像を自動的にダウンロードして表示することができる。これにより、煩雑なネットワーク機器のセットアップの必要なく、遠隔の地にある祖父母（年配者）に配慮した使い易いコミュニケーションツールを実現できる。
【００３１】
また、本実施形態によれば、セットトップボックス４側の画像記憶部４ｃにおいて、通信部４ｂによってダウンロードされた孫画像を保存する。これにより、それ以降、画像配信サーバ３にその都度アクセスしなくても、いつでも孫画像を閲覧・表示することができる（ダウンロード再生）。なお、画像記憶部４ｃの記憶容量などの問題がある場合には、ダウンロード再生に代えてストリーミング再生を行ってもよい。ストリーミング再生の場合、静止画像（写真）ならば、一つの画像データがその都度記憶領域に一時的に確保できるものの、動画の場合には、データサイズが大きくファイル全体を内部保存ができない場合がある。この場合、逐次ダウンロードしながら再生し、セットトップボックス４の内部容量に応じて再生済み部分を廃棄してダウンロード可能な容量を確保してもよい。
【００３２】
（第２の実施形態）
本実施形態の特徴は、孫画像の配信先（共有先）として、父方の祖父母と母方の祖父母とを孫画像毎に選択的に登録できる点にある。この場合、上述したペアリングの際、父母は携帯端末２を操作して、父母側の携帯端末２に対応付けるものとして、父方の祖父母側および母方の祖父母側の２つのセットトップボックス４に固有の識別情報をそれぞれ登録する。そして、孫画像のアップロードの際、父母は携帯端末２を操作して、この孫画像の配信先として、（１）父方の祖父母、（２）母方の祖父母、（３）父方および母方の双方の祖父母を選択する。
【００３３】
認証部３ｆは、父母側端末からの孫画像毎の指定に応じて、孫画像の配信先として、父方の祖父母側に設置される第１のセットトップボックスの識別情報と、母方の祖父母側に設置される第２のセットトップボックスの識別情報とを選択的に登録可能である。図６は、本実施形態に係る配信先管理テーブルの説明図である。このテーブルは、第１の実施形態とほぼ同様のレコード構成を有するが、「ＳＴＢ」として複数のセットトップボックス４の識別情報が記述でき、かつ、セットトップボックス４毎に「アクセス許可」が設定される。例えば、「ｉｄ０００１」の孫画像については、「ＳＴＢ」として、父方の祖父母側のセットトップボックス４（識別情報＝「ａ１」）、および、母方の祖父母側のセットトップボックス４（識別情報＝「ａ２」）の両方のアクセスが許可されている。また、「ｉｄ０００３」の孫画像については、父方の祖父母側のセットトップボックス４（識別情報＝「ｂ１」）のアクセスは許可されているが、母方の祖父母側のセットトップボックス４（識別情報＝「ｂ２」）のアクセスは禁止されている。
【００３４】
このように、本実施形態によれば、上述した第１の実施形態と同様の効果を奏するほか、孫画像の配信先を選択できるようにすることで、父母側の利便性を高めることができる。
【符号の説明】
【００３５】
１  画像共有ネットワークシステム
２  携帯端末（父母側端末）
３  画像配信サーバ
３ａ  画像受信部
３ｂ  画像変換部
３ｃ  画像管理部
３ｄ  画像記憶部
３ｅ  アカウント情報記憶部
３ｆ  認証部
３ｇ  画像配信部
４  セットトップボックス
４ａ  識別情報記憶部
４ｂ  通信部
４ｃ  画像記憶部
４ｄ  出力部
４ｅ  接続ターミナル
５  表示装置
【図１】
2019120991.tif 000003
【図２】
2019120991.tif 000004
【図３】
2019120991.tif 000005
【図４】
2019120991.tif 000006
【図５】
2019120991.tif 000007
【図６】
2019120991.tif 000008